(57)【特許請求の範囲】
【請求項１】
筐体内部に配置され、運転状況を表示する運転表示ランプ装置と、
前面に配置され、前記運転表示ランプ装置の前面側に位置する前面意匠パネルと、
を備え、
前記前面意匠パネルには、前記運転表示ランプ装置と対向する背面側が凹んで基本肉厚部より肉厚が薄く前記運転表示ランプ装置の光を通過させる薄肉部が形成され、前記薄肉部の周囲に前記運転表示ランプ装置と対向する背面側が前記基本肉厚部まで肉厚が変化する肉厚変化部が形成され、
前記肉厚変化部は、前記運転表示ランプ装置と対向する背面側にて背面方向に突出し、前記運転表示ランプ装置に対する前記前面意匠パネルの位置を位置決めする突出部を有し、
前記運転表示ランプ装置は、前記突出部が嵌め込まれる受け部を有する空気調和装置の室内機。
【請求項２】
前記突出部は、前記薄肉部の周囲に形成された前記肉厚変化部において、前記薄肉部を挟んで向い合せに一対設けられる請求項１に記載の空気調和装置の室内機。
【請求項３】
前記受け部は、前記突出部を水平方向に位置決めする水平方向位置決め部と、前記突出部を鉛直方向に位置決めする鉛直方向位置決め部と、を含む請求項１または２に記載の空気調和装置の室内機。
【請求項４】
一対の前記突出部は、前記運転表示ランプ装置の水平方向両端部に対向する位置に配置され、
前記受け部は、前記運転表示ランプ装置の水平方向両端部にて一対の前記突出部のそれぞれが嵌め込まれるように一対設けられる請求項１〜３のいずれか１項に記載の空気調和装置の室内機。
【請求項５】
一対の前記突出部は、水平方向線上に合せて配置され、
一対の前記受け部は、水平方向線上に合わせて配置される請求項４に記載の空気調和装置の室内機。
【請求項６】
前記突出部は、前記肉厚変化部から前記基本肉厚部に延設された請求項１〜５のいずれか１項に記載の空気調和装置の室内機。
【請求項７】
前記突出部は、薄板形状のリブである請求項１〜６のいずれか１項に記載の空気調和装置の室内機。
【請求項８】
一対の薄板形状のリブである前記突出部は、前記運転表示ランプ装置の水平方向両端部に対向する位置に水平方向に板面を沿わせて配置され、
前記運転表示ランプ装置の水平方向両端部にそれぞれ設けられた一対の前記受け部は、一対のリブである前記突出部の２つのうち一方の水平方向端をそれぞれ案内して一対の前記突出部を水平方向に位置決めする水平方向位置決め部と、リブである前記突出部の薄板表裏面を上下両側から挟み込んで前記突出部を嵌め込み前記突出部を鉛直方向に位置決めする鉛直方向位置決め部と、を含む請求項７に記載の空気調和装置の室内機。
【発明の詳細な説明】
【技術分野】
【０００１】
本発明は、室内機の前面意匠パネルと前面意匠パネルに設けられた運転表示アイコン部を照らす運転表示ランプ装置との相対位置を位置合わせする空気調和装置の室内機に関するものである。
【背景技術】
【０００２】
空気調和装置の室内機は、熱交換機、送風ファン、電気品箱および運転表示ランプ装置などを内蔵し、背面ケースに意匠パネルなどの前面ケースが組み付けられる。
室内機の前面に被さる前面意匠パネルには、運転状態を表示する運転表示ランプ装置から発せられた光を外部から視認できるように表示孔が備えられている。
その表示孔と運転表示ランプ装置との導光範囲を位置決めするために、前面意匠パネルとは別部品を設ける技術が知られている（たとえば、特許文献１参照）。
【先行技術文献】
【特許文献】
【０００３】
【特許文献１】特開２０１１−１３３１１５号公報
【発明の概要】
【発明が解決しようとする課題】
【０００４】
特許文献１に記載の技術では、空気調和装置の室内機は、運転表示ランプ装置の光が表示孔からずれることなく照らされるように、前面意匠パネルとは別部品に位置決めのリブを設け、前面意匠パネルと運転表示ランプ装置とを位置決めしていた。
しかし、別部品が位置決めに用いられると、組立ばらつきが発生し、運転表示ランプ装置の光がずれ易い。運転表示ランプ装置の光がずれてしまうと、運転状態を目視できず、見た目も悪く意匠性に欠ける。【０００５】
このため、運転表示ランプ装置の光がずれないように、前面意匠パネルに一体的に位置決め部を設け、部品点数を減らすことで、部品組立ばらつきを減らすことが考えられる。
しかし、前面意匠パネルは、運転表示ランプ装置の光を透過させるため薄肉に形成する必要がある。位置決めのために前面意匠パネルの薄肉部に背面側に突出する位置決め部を設けると、その位置決め部を設けた箇所だけ厚肉になる。この場合には、位置決め部を設けた厚肉部分に前面意匠パネルの意匠面である前面が凹むヒケが生じ、意匠性が悪化する。【０００６】
本発明は、上記課題を解決するためのものであり、前面意匠パネルに形成されるヒケを目立たなくし、意匠性を向上する空気調和装置の室内機を提供することを目的とする。
【課題を解決するための手段】
【０００７】
本発明に係る空気調和装置の室内機は、筐体内部に配置され、運転状況を表示する運転表示ランプ装置と、前面に配置され、前記運転表示ランプ装置の前面側に位置する前面意匠パネルと、を備え、前記前面意匠パネルには、前記運転表示ランプ装置と対向する背面側が凹んで基本肉厚部より肉厚が薄く前記運転表示ランプ装置の光を通過させる薄肉部が形成され、前記薄肉部の周囲に前記運転表示ランプ装置と対向する背面側が前記基本肉厚部まで肉厚が変化する肉厚変化部が形成され、前記肉厚変化部は、前記運転表示ランプ装置と対向する背面側にて背面方向に突出し、前記運転表示ランプ装置に対する前記前面意匠パネルの位置を位置決めする突出部を有し、前記運転表示ランプ装置は、前記突出部が嵌め込まれる受け部を有するものである。
【発明の効果】
【０００８】
本発明に係る空気調和装置の室内機によれば、肉厚変化部は、運転表示ランプ装置と対向する背面側にて背面方向に突出し、運転表示ランプ装置との相対位置を位置決めする突出部を有する。このため、肉厚変化部は、運転表示ランプ装置の光を通過させる薄肉部あるいは基本肉厚部といった一定肉厚部分に突出部を形成するよりも、肉厚が変化していて突出部を形成することによる前面意匠パネルの意匠面である前面に発生する凹みができるだけ小さくなってヒケが目立たない。したがって、前面意匠パネルに形成されるヒケが目立たなく、意匠性が向上できる。【０００９】
これにより、運転表示ランプ装置の光がずれないように、前面意匠パネルに一体的に位置決め部として突出部が設けられ、部品点数が減り、部品組立ばらつきが減らせる。そして、運転表示ランプ装置の光がずれることなく前面意匠パネルに設けられた運転表示アイコン部を照らし、空気調和装置の室内機の意匠性が高まる。
【図面の簡単な説明】
【００１０】
【図１】本発明の実施の形態に係る空気調和装置の室内機を示す斜視図である。
【図２】本発明の実施の形態に係る空気調和装置の室内機における図１のＺ−Ｚ断面を示す説明図である。
【図３】本発明の実施の形態に係る空気調和装置の室内機における運転表示アイコン部の周辺部を拡大して示す斜視図である。
【図４】本発明の実施の形態に係る空気調和装置の室内機における運転表示ランプ装置の周辺部を拡大して示す斜視図である。
【図５】本発明の実施の形態に係る空気調和装置の室内機における運転表示ランプ装置の周辺部を図１のＺ−Ｚ断面で拡大して示す説明図である。
【図６】本発明の実施の形態に係る空気調和装置の室内機における運転表示ランプ装置の一対の受け部に一対の突出部がそれぞれ位置決めされた状態を図１のＹ−Ｙ断面で拡大して示す説明図である。
【図７】本発明の実施の形態に係る空気調和装置の室内機における前面意匠パネルの意匠面である前面を示す図である。
【図８】本発明の実施の形態に係る空気調和装置の室内機における前面意匠パネルの背面を示す図である。
【図９】本発明の実施の形態に係る空気調和装置の室内機における前面意匠パネルの背面の薄肉部の周辺を示す斜視図である。
【図１０】本発明の実施の形態に係る空気調和装置の室内機における運転表示ランプ装置を示す斜視図である。
【図１１】本発明の実施の形態に係る空気調和装置の室内機における運転表示ランプ装置を示す分解斜視図である。
【図１２】本発明の実施の形態に係る空気調和装置の室内機における運転表示ランプ装置の導光筐体を示す斜視図である。
【図１３】本発明の実施の形態に係る空気調和装置の室内機における運転表示ランプ装置の導光筐体の右側の受け部を拡大して示す斜視図である。
【図１４】本発明の実施の形態に係る空気調和装置の室内機における運転表示ランプ装置の導光筐体の右側の受け部に突出部が位置決めされた状態を図１のＺ−Ｚ断面で拡大して示す斜視図である。
【図１５】本発明の実施の形態に係る空気調和装置の室内機における運転表示ランプ装置の導光筐体の右側の受け部に突出部が位置決めされた状態を図１のＹ−Ｙ断面で拡大して示す斜視図である。
【発明を実施するための形態】
【００１１】
以下、図面に基づいて本発明の実施の形態について説明する。
なお、各図において、同一の符号を付したものは、同一のまたはこれに相当するものであり、これは明細書の全文において共通している。
さらに、明細書全文に示されている構成要素の形態は、あくまで例示であってこれらの記載に限定されるものではない。
【００１２】
実施の形態．
図１は、本発明の実施の形態に係る空気調和装置の室内機１００を示す斜視図である。図２は、本発明の実施の形態に係る空気調和装置の室内機１００における図１のＺ−Ｚ断面を示す説明図である。
空気調和装置の室内機１００は、回転速度を制御可能なインバータ駆動の圧縮機、四方弁、凝縮側熱交換器、減圧装置および蒸発側熱交換器を冷媒配管で接続して冷媒が循環する冷凍サイクル回路の一部を構成し、四方弁の切換により冷房運転および暖房運転が可能な壁掛け型の室内機である。
【００１３】
図１、図２に示すように、空気調和装置の室内機１００は、裏板に固定される背面ケース１０と、背面ケース１０に取り付けられる内部部品２０と、室内機１００の意匠面を構成する前側ケース３０と、を備えている。
背面ケース１０と前側ケース３０とは、空気調和装置の室内機１００の筐体４０を構成している。
空気調和装置の室内機１００の筐体４０は、上下よりも左右の水平方向に長い矩形形状に形成されている。
【００１４】
背面ケース１０には、内部部品２０が取り付けられる。内部部品２０は、３つの部品が屈曲配置された凸湾曲状の熱交換器２１と、熱交換器２１が取り囲む空間に配置されて熱交換器２１の空気流の下流に位置する送風ファン２２と、図示しない電気品箱と、運転表示ランプ装置５０と、を有している。
熱交換器２１の前面側下方には、熱交換器２１からの結露水を受けるドレンパン２３が形成されている。熱交換器２１の背面側下方には、熱交換器２１からの結露水を受けるドレンパン２４が形成されている。
送風ファン２２の下方は、熱交換された空気を吹出す吹出口６０になっている。吹出口６０は、空気調和装置の室内機１００の下方に、水平方向に長い矩形形状に開口している。
【００１５】
前側ケース３０は、空気調和装置の室内機１００の上面部分、左右の横面部分および正面部分を構成する。前側ケース３０は、背面ケース１０の前側にて内部部品２０を収容して取り囲む。前側ケース３０は、背面ケース１０に固定されている。
前側ケース３０の上面には、吸込口９０が形成されている。
前側ケース３０の正面部分には、開閉可能なグリル３１が取り付けられている。グリル３１は、水平方向に長い矩形形状である。
前側ケース３０のグリルと下方の吹出口６０との間には、前面意匠パネル７０が取り付けられている。前面意匠パネル７０の正面から見て右端部には、赤外線センサユニット８０が取り付けられている。前面意匠パネル７０は、水平方向に長い矩形形状である。前面意匠パネル７０は、左右の横面部分の前側ケース３０に固定されている。
【００１６】
空気調和機の室内機１００は、吹出口６０に配置され、吹出口６０から吹出す風の向きを居住空間の左右方向である左右方向に調整する左右風向板６１を有している。
左右風向板６１は、吹出口６０の内部に複数の鉛直方向に沿って並んだ板部材で構成されている。左右風向板６１は、図示しない駆動用モータによって回動可能である。
【００１７】
空気調和機の室内機１００は、吹出口６０に配置され、吹出口６０から吹出す風の向きを居住空間の高さ方向である上下方向に調整する上下風向板６２を有している。
上下風向板６２は、吹出口６０を閉塞可能な板状部材で構成されている。上下風向板６２は、図示しない駆動用モータによって回動可能である。
【００１８】
空気調和装置の室内機１００は、送風ファン２２によって吸込口９０から室内空気を吸い込む。吸い込まれた空気は、熱交換器２１によって冷媒と熱交換されて調和空気である冷気あるいは暖気となる。その冷気または暖気は、左右風向板６１および上下風向板６２が配置されている吹出口６０から室内へ送風される。
この時、左右風向板６１は、左右方向に回動することにより、送風ファン２２によって吹出す熱交換された空気の左右方向の風向を調整している。また、上下風向板６２は、上下方向に回動することにより、送風ファン２２によって吹出す熱交換された空気の上下方向の風向を調整している。
【００１９】
なお、ここでは熱交換器２１の下流側に送風ファン２２として横流ファンを備えた構成について説明する。しかし、送風ファンとしては、他のファン、たとえばプロペラファンを備えていてもよい。また、送風ファンとしては、熱交換器２１の上流側に他のファン、たとえばプロペラファンを備えている構成でもよい。
また、ここでは壁掛け式の室内機１００について説明する。しかし、本発明は、床置き式などの室内機に用いることもできる。
【００２０】
次に、前面意匠パネル７０に設けられた運転表示アイコン部７１を用いた運転表示の構成について説明する。
図３は、本発明の実施の形態に係る空気調和装置の室内機１００における運転表示アイコン部７１の周辺部を拡大して示す斜視図である。図４は、本発明の実施の形態に係る空気調和装置の室内機１００における運転表示ランプ装置５０の周辺部を拡大して示す斜視図である。図５は、本発明の実施の形態に係る空気調和装置の室内機１００における運転表示ランプ装置５０の周辺部を図１のＺ−Ｚ断面で拡大して示す説明図である。
【００２１】
図３に示すように、空気調和装置の室内機１００の前面には、前面意匠パネル７０が配置されている。前面意匠パネル７０には、意匠面である前面に、運転状況を表示する運転表示アイコン部７１のアイコン７２が印刷されている。
【００２２】
図４に示すように、空気調和装置の室内機１００は、前面意匠パネル７０を取り外すと、運転表示アイコン部７１の背面側に、運転状況を表示するために光を発する運転表示ランプ装置５０が備えられている。運転表示ランプ装置５０は、複数の光源５１を有し、各光源５１から運転表示アイコン部７１の各アイコン７２を照らす。
【００２３】
図５に示すように、空気調和装置の室内機１００は、運転表示ランプ装置５０と前面意匠パネル７０とが相対的に位置決めされて組み付けられると、運転表示ランプ装置５０が前面意匠パネル７０の背面に接触固定される。これにより、運転表示ランプ装置５０の各光源５１の光が、運転表示ランプ装置５０の前面に配置された前面意匠パネル７０の運転表示アイコン部７１の各アイコン７２を照らす。
【００２４】
次に、前面意匠パネルと運転表示ランプ装置との相対的な位置決めの構成について説明する。
図６は、本発明の実施の形態に係る空気調和装置の室内機１００における運転表示ランプ装置５０の一対の受け部５２ａ、５２ｂに一対の突出部７３ａ、７３ｂがそれぞれ位置決めされた状態を図１のＹ−Ｙ断面で拡大して示す説明図である。
前面意匠パネル７０と運転表示ランプ装置５０との相対的な位置決めは、前面意匠パネル７０の背面７０ｂに設けられた一対の突出部７３ａ、７３ｂが運転表示ランプ装置５０の一対の受け部５２ａ、５２ｂにそれぞれ嵌め込まれることにより、実現されている。
【００２５】
図７は、本発明の実施の形態に係る空気調和装置の室内機１００における前面意匠パネル７０の意匠面である前面７０ａを示す図である。図８は、本発明の実施の形態に係る空気調和装置の室内機１００における前面意匠パネル７０の背面７０ｂを示す図である。
図７に示すように、前面意匠パネル７０の前面７０ａには、運転表示アイコン部７１のアイコン７２が印刷されている。なお、運転表示アイコン部７１のアイコン７２は、前面意匠パネル７０の背面７０ｂに印刷されていてもよい。
図８に示すように、前面意匠パネル７０の背面７０ｂには、前面７０ａに運転表示アイコン部７１のアイコン７２が印刷されている範囲を凹ませて基本肉厚部７４より肉厚が薄く運転表示ランプ装置５０の光を通過させる薄肉部７５が形成されている。薄肉部７５は、運転表示ランプ装置５０に対向した範囲に形成されている。なお、図８は、図７の前面意匠パネル７０の前面７０ａとの対比が容易となるように、前面意匠パネル７０の背面７０ｂを、左右を固定して上下逆に表している。
【００２６】
図９は、本発明の実施の形態に係る空気調和装置の室内機１００における前面意匠パネル７０の背面７０ｂの薄肉部７５の周辺を示す斜視図である。なお、図９は、図８と同様に、図７の前面意匠パネル７０の前面７０ａとの対比が容易となるように、前面意匠パネル７０の背面７０ｂを、左右を固定して上下逆に表している。
図９に示すように、前面意匠パネル７０には、運転表示ランプ装置５０と対向する背面７０ｂ側が凹んで基本肉厚部７４より肉厚が薄く運転表示ランプ装置５０の光を通過させる薄肉部７５が形成されている。
前面意匠パネル７０には、薄肉部７５の周囲に運転表示ランプ装置５０と対向する背面７０ｂ側が薄肉部７５から基本肉厚部７４まで肉厚が変化する肉厚変化部７６が形成されている。
前面意匠パネル７０には、肉厚変化部７６の外側に通常の肉厚を有する基本肉厚部７４が形成されている。基本肉厚部７４は、運転表示ランプ装置５０の光を通過させる必要が無く、また厚肉に形成されて強度が高められている。
【００２７】
図９に示すように、肉厚変化部７６は、運転表示ランプ装置５０と対向する背面７０ｂ側にて背面方向に突出し、運転表示ランプ装置５０との相対位置を位置決めする一対の突出部７３ａ、７３ｂを有している。
一対の突出部７３ａ、７３ｂは、薄肉部７５の周囲に形成された肉厚変化部７６において、水平方向である左右方向に薄肉部７５を挟んで向い合せに設けられている。
一対の突出部７３ａ、７３ｂは、運転表示ランプ装置５０の導光筐体５３の水平方向両端部に対向する位置に配置されている。一対の突出部７３ａ、７３ｂは、１つの水平方向線７７上に合せて配置されている。水平方向線７７は、前面意匠パネル７０の上端縁および下端縁の延出方向と平行である。
また、一対の突出部７３ａ、７３ｂは、肉厚変化部７６から基本肉厚部７４に延設されている。一対の突出部７３ａ、７３ｂは、背面７０ｂ側の先端部の幅が根元部の幅よりも狭い薄板形状のリブである。この一対の薄板形状のリブである突出部７３ａ、７３ｂは、運転表示ランプ装置５０の導光筐体５３の水平方向両端部に対向する位置に水平方向に板面を沿わせて配置されている。
【００２８】
なお、実施の形態では、一対の突出部７３ａ、７３ｂが設けられた構成である。しかし、本発明はこれに限られない。たとえば、１つまたは３つ以上の突出部あるいは複数対の突出部が設けられた構成でもよい。一対の突出部は、突出位置が１つの水平線上からずれていてもよい。
また、突出部は、薄板形状のリブであったが、円柱状、多角柱状、円錐状、多角錐状、半球状など種々の突出形状でもよい。
【００２９】
図１０は、本発明の実施の形態に係る空気調和装置の室内機１００における運転表示ランプ装置５０を示す斜視図である。図１１は、本発明の実施の形態に係る空気調和装置の室内機１００における運転表示ランプ装置５０を示す分解斜視図である。
図１０、図１１に示すように、運転表示ランプ装置５０は、基本ホルダ５４と、導光筐体５３と、を有している。
基本ホルダ５４には、室内機１００の配置された室内の赤外線を、センサ部を回転させて検出する赤外線センサユニット８０が設けられている。また、基本ホルダ５４には、運転表示アイコン部７１を照らすために発光するＬＥＤである光源５１が複数搭載されたＬＥＤ基板５５が固定されている。ＬＥＤ基板５５は、光源５１の発行制御のための電気回路が形成されている。
導光筐体５３は、ＬＥＤ基板５５に搭載された複数の光源５１のそれぞれの光を案内する円錐筒状の複数の導光孔５６が水平方向に並んで形成されている。導光孔５６は、導光筐体５３の前面と背面とに貫通し、前面開口が背面開口よりも広くなっている。
導光筐体５３は、基本ホルダ５４にバネ５７ａ、５７ｂを介して位置ずれの許容および前方への付勢がなされるように爪引掛けにより取り付けられている。つまり、導光筐体５３が運転表示アイコン部７１に相対的に位置合わせされる。これにより、ＬＥＤ基板５５の各光源５１の光が各導光孔５６によって円形状に導光され、運転表示アイコン部７１が各アイコン７２を中心にそれぞれ円形に照らされる。
【００３０】
図１２は、本発明の実施の形態に係る空気調和装置の室内機１００における運転表示ランプ装置５０の導光筐体５３を示す斜視図である。
図１２に示すように、導光筐体５３は、一対の突出部７３ａ、７３ｂがそれぞれ嵌め込まれる一対の受け部５２ａ、５２ｂを有している。
一対の受け部５２ａ、５２ｂは、運転表示ランプ装置５０の導光筐体５３の水平方向両端部にて一対の突出部７３ａ、７３ｂのそれぞれが嵌め込まれる。
一対の受け部５２ａ、５２ｂは、水平方向線上に合わせて配置されている。
【００３１】
図１３は、本発明の実施の形態に係る空気調和装置の室内機１００における運転表示ランプ装置５０の導光筐体５３の右側の受け部５２ａを拡大して示す斜視図である。
図１３を用いて受け部５２ａの詳細について説明する。なお、ここでは、右側の受け部５２ａの詳細について説明するが、左側の受け部５２ｂも左右対称の同様な構成である。
図１３に示すように、受け部５２ａは、一方のリブである突出部７３ａの水平方向端を案内して一対の突出部７３ａ、７３ｂを水平方向に位置決めする水平方向位置決め部５２ａ１を含んでいる。水平方向位置決め部５２ａ１は、リブである突出部７３ａの水平方向端を突き当てる突き当て面に構成されている。
受け部５２ａは、リブである突出部７３ａの薄板表裏面を上下両側から挟み込んで突出部７３ａを嵌め込み突出部７３ａを鉛直方向に位置決めする鉛直方向位置決め部５２ａ２を含んでいる。鉛直方向位置決め部５２ａ２は、リブである突出部７３ａの薄板表裏面を上下両側から挟み込むように前方側の開口部が広くかつ背面方向に向かって幅が狭まる溝形状に構成されている。
【００３２】
なお、実施の形態では、リブである突出部７３ａを受けるために受け部５２ａは、水平方向位置決め部５２ａ１および鉛直方向位置決め部５２ａ２を有する構成である。しかし本発明はこれに限られない。受け部は、水平方向位置決め部および鉛直方向位置決め部が一体となった突出部に対して凹んだ凹部形状などでもよい。
【００３３】
図１４は、本発明の実施の形態に係る空気調和装置の室内機１００における運転表示ランプ装置５０の導光筐体５３の右側の受け部５２ａに突出部７３ａが位置決めされた状態を図１のＺ−Ｚ断面で拡大して示す斜視図である。図１５は、本発明の実施の形態に係る空気調和装置の室内機１００における運転表示ランプ装置５０の導光筐体５３の右側の受け部５２ａに突出部７３ａが位置決めされた状態を図１のＹ−Ｙ断面で拡大して示す斜視図である。
【００３４】
図１４、図１５に示すように、受け部５２ａの水平方向位置決め部５２ａ１は、前面意匠パネル７０のリブである突出部７３ａの左側の水平方向端を突き当てて案内する。これにより、一方の片側の突出部７３ａおよび受け部５２ａの水平方向位置決め部５２ａ１により前面意匠パネル７０と導光筐体５３との水平方向が規定される。また、図示しない他方の片側も同様に突出部７３ｂおよび受け部５２ｂの水平方向位置決め部により前面意匠パネル７０と導光筐体５３との水平方向が規定される。これにより、両側の突出部７３ａ、７３ｂおよび受け部５２ａ、５２ｂにより前面意匠パネル７０と導光筐体５３との水平方向が位置決めされる。
【００３５】
受け部５２ａの鉛直方向位置決め部５２ａ２は、前面意匠パネル７０のリブである突出部７３ａの薄板表裏面を上下両側から挟み込んで突出部７３ａを嵌め込み突出部７３ａを鉛直方向に位置決めする。もう一方の受け部５２ｂでは、図示しない鉛直方向位置決め部が突出部７３ｂを同様に鉛直方向に位置決めする。
【００３６】
以上のようにして、図６に示すように、一対の突出部７３ａ、７３ｂおよび一対の受け部５２ａ、５２ｂが水平方向および鉛直方向に位置決めされることにより、導光筐体５３と前面意匠パネル７０との相対位置が位置決めされる。これにより、運転表示ランプ装置５０の各光源５１からの光が、ずれることなく運転表示アイコン部７１を、各アイコン７２を中心とした円形に照らす。そのため、空気調和装置の室内機１００では、運転状態がアイコン７２を中心にした円形に光って意匠性が優れる。
【００３７】
実施の形態によれば、空気調和装置の室内機１００は、筐体４０に設けられ、室内空気を吸込む吸込口９０を備えている。空気調和装置の室内機１００は、筐体４０内に配置され、吸込口９０から吸い込んだ空気を冷媒と熱交換する熱交換器２１を備えている。空気調和装置の室内機１００は、筐体４０に設けられ、熱交換器２１で熱交換された調和空気を吹き出す吹出口６０を備えている。空気調和装置の室内機１００は、筐体４０内部に配置され、運転状況を表示する運転表示ランプ装置５０を備えている。空気調和装置の室内機１００は、前面に配置され、前記運転表示ランプ装置５０の前面側に位置する前面意匠パネル７０を備えている。前面意匠パネル７０には、運転表示ランプ装置５０と対向する背面７０ｂ側が凹んで基本肉厚部７４より肉厚が薄く運転表示ランプ装置５０の光を通過させる薄肉部７５が形成されている。前面意匠パネル７０には、薄肉部７５の周囲に運転表示ランプ装置５０と対向する背面７０ｂ側が基本肉厚部７４まで肉厚が変化する肉厚変化部７６が形成されている。肉厚変化部７６は、運転表示ランプ装置５０と対向する背面７０ｂ側にて背面方向に突出し、運転表示ランプ装置５０との相対位置を位置決めする突出部７３ａ、７３ｂを有している。
この構成によれば、肉厚変化部７６は、運転表示ランプ装置５０の光を通過させる薄肉部７５あるいは基本肉厚部７４といった一定肉厚部分に突出部を形成するよりも、肉厚が変化していて突出部７３ａ、７３ｂを形成することによる前面意匠パネル７０の意匠面である前面７０ａに発生する凹みができるだけ小さくなってヒケが目立たない。したがって、前面意匠パネル７０に形成されるヒケが目立たなく、意匠性が向上できる。
これにより、運転表示ランプ装置５０の光がずれないように、前面意匠パネル７０に一体的に位置決め部として突出部７３ａ、７３ｂが設けられ、部品点数が減り、部品組立ばらつきが減らせる。そして、運転表示ランプ装置５０の光がずれることなく前面意匠パネル７０に設けられた運転表示アイコン部７１を照らし、空気調和装置の室内機１００の意匠性が高まる。
【００３８】
実施の形態によれば、突出部７３ａ、７３ｂは、薄肉部７５の周囲に形成された肉厚変化部７６において、薄肉部７５を挟んで向い合せに一対設けられている。
この構成によれば、突出部７３ａ、７３ｂを設ける箇所が運転表示ランプ装置５０に対する前面意匠パネル７０の相対位置を確実に位置決めできる必要最低限の２箇所だけに少なくできる。これにより、肉厚変化部７６に突出部７３ａ、７３ｂを設けたことによるヒケが２箇所だけとなり、前面意匠パネル７０の前面７０ａの意匠面に発生する凹むヒケがより目立たなく、意匠性が向上できる。
【００３９】
実施の形態によれば、運転表示ランプ装置５０は、突出部７３ａ、７３ｂが嵌め込まれる受け部５２ａ、５２ｂを有している。
この構成によれば、突出部７３ａ、７３ｂが運転表示ランプ装置５０に設けられた受け部５２ａ、５２ｂに嵌め込まれ、運転表示ランプ装置５０に対する前面意匠パネル７０の相対位置が位置決めできる。
【００４０】
実施の形態によれば、受け部５２ａ、５２ｂは、突出部７３ａ、７３ｂを水平方向に位置決めする水平方向位置決め部５２ａ１を含んでいる。受け部５２ａ、５２ｂは、突出部７３ａ、７３ｂを鉛直方向に位置決めする鉛直方向位置決め部５２ａ２を含んでいる。
この構成によれば、突出部７３ａ、７３ｂが受け部５２ａ、５２ｂに嵌め込まれることにより、突出部７３ａ、７３ｂが水平方向および鉛直方向の両方向に位置決めできる。このため、突出部７３ａ、７３ｂおよび受け部５２ａ、５２ｂの対応構造が設けられることにより、運転表示ランプ装置５０に対する前面意匠パネル７０の相対位置が水平方向および鉛直方向の両方向に位置決めできる。
【００４１】
実施の形態によれば、一対の突出部７３ａ、７３ｂは、運転表示ランプ装置５０の水平方向両端部に対向する位置に配置されている。受け部５２ａ、５２ｂは、運転表示ランプ装置５０の水平方向両端部にて一対の突出部７３ａ、７３ｂのそれぞれが嵌め込まれるように一対設けられている。
この構成によれば、一対の突出部７３ａ、７３ｂおよび一対の受け部５２ａ、５２ｂの２つの対応構造が設けられることにより、運転表示ランプ装置５０に対する前面意匠パネル７０の相対位置が位置決めできる。
【００４２】
実施の形態によれば、一対の突出部７３ａ、７３ｂは、水平方向線７７上に合せて配置されている。一対の受け部５２ａ、５２ｂは、水平方向線上に合わせて配置されている。
この構成によれば、一対の突出部７３ａ、７３ｂおよび一対の受け部５２ａ、５２ｂの２つの対応構造が水平方向線７７上に合わせて配置されていることにより、前面意匠パネル７０に形成される２箇所のヒケが矩形形状の室内機１００の外観に現れる横長の前面意匠パネル７０の形状あるいは吹出口６０などの機能形状と対比しても水平方向に並んで目立たなく、意匠性が向上できる。
【００４３】
実施の形態によれば、突出部７３ａ、７３ｂは、肉厚変化部７６から基本肉厚部７４に延設されている。
この構成によれば、突出部７３ａ、７３ｂが大きくでき、突出部７３ａ、７３ｂの強度が向上できる。なお、突出部７３ａ、７３ｂが基本肉厚部７４に延設されることにより、薄肉部７５に延設された場合に運転表示ランプ装置５０の光により薄肉部７５に延設された突出部の影が前面意匠パネル７０の前面７０ａの意匠面に現れるようなことがなく、意匠性が向上できる。
【００４４】
実施の形態によれば、突出部７３ａ、７３ｂは、薄板形状のリブである。
この構成によれば、突出部７３ａ、７３ｂに対応して前面意匠パネル７０に形成されるヒケが細長くなって目立たなく、意匠性が向上できる。
【００４５】
実施の形態によれば、一対の薄板形状のリブである突出部７３ａ、７３ｂは、運転表示ランプ装置５０の水平方向両端部に対向する位置に水平方向に板面を沿わせて配置されている。運転表示ランプ装置５０の水平方向両端部にそれぞれ設けられた一対の受け部５２ａ、５２ｂは、一対のリブである突出部７３ａ、７３ｂの２つのうち一方の水平方向端をそれぞれ案内して一対の突出部７３ａ、７３ｂを水平方向に位置決めする水平方向位置決め部５２ａ１を含んでいる。一対の受け部５２ａ、５２ｂは、リブである突出部７３ａ、７３ｂの薄板表裏面を上下両側から挟み込んで突出部７３ａ、７３ｂを嵌め込み突出部７３ａ、７３ｂを鉛直方向に位置決めする鉛直方向位置決め部５２ａ２を含んでいる。
この構成によれば、一対の突出部７３ａ、７３ｂのそれぞれが一対の受け部５２ａ、５２ｂのそれぞれに嵌め込まれることにより、運転表示ランプ装置５０に対する前面意匠パネル７０の相対位置が水平方向および鉛直方向の両方向に位置決めできる。このとき、一対の薄板形状のリブである突出部７３ａ、７３ｂは、水平方向に板面を沿わせて配置されており、前面意匠パネル７０に形成されるヒケが矩形形状の室内機１００の外観に現れる横長の前面意匠パネル７０の形状あるいは吹出口６０などの機能形状と対比しても水平方向に細長くなって目立たなく、意匠性が向上できる。
【符号の説明】
【００４６】
１０  背面ケース、２０  内部部品、２１  熱交換器、２２  送風ファン、２３  ドレンパン、２４  ドレンパン、３０  前側ケース、３１  グリル、４０  筐体、５０  運転表示ランプ装置、５１  光源、５２ａ  受け部、５２ａ１  水平方向位置決め部、５２ａ２  鉛直方向位置決め部、５２ｂ  受け部、５３  導光筐体、５４  基本ホルダ、５５  ＬＥＤ基板、５６  導光孔、５７ａ  バネ、５７ｂ  バネ、６０  吹出口、６１  左右風向板、６２  上下風向板、７０  前面意匠パネル、７０ａ  前面、７０ｂ  背面、７１  運転表示アイコン部、７２  アイコン、７３ａ  突出部、７３ｂ  突出部、７４  基本肉厚部、７５  薄肉部、７６  肉厚変化部、７７  水平方向線、８０  赤外線センサユニット、９０  吸込口、１００  室内機。
【図１】
0006611946.tif 000002
【図２】
0006611946.tif 000003
【図３】
0006611946.tif 000004
【図４】
0006611946.tif 000005
【図５】
0006611946.tif 000006
【図６】
0006611946.tif 000007
【図７】
0006611946.tif 000008
【図８】
0006611946.tif 000009
【図９】
0006611946.tif 000010
【図１０】
0006611946.tif 000011
【図１１】
0006611946.tif 000012
【図１２】
0006611946.tif 000013
【図１３】
0006611946.tif 000014
【図１４】
0006611946.tif 000015
【図１５】
0006611946.tif 000016